(57)【特許請求の範囲】
【請求項１】
帯状の湾曲形成可能な材料で以て形成した本体片と、該本体片の一端縁に沿って折り曲げ可能に連設した底片とからなり、前記本体片をループ形に接続するようにした組立式プランターにおいて、所要の厚さと弾性を有する発泡合成樹脂板の少なくとも一方の面に織布又はシートを接着して一体とし、本体片と底片の連接部に、織布又はシートが切断されないように切目又は折目を入れ、織布又はシートを介して底片を折り曲げ可能に連接し、隣接する底片が重なり合わないように設置するようにしたことを特徴とする組立式プランター。
【発明の詳細な説明】
【０００１】
【発明の属する技術分野】
本発明は、組立式プランターに関し、特に、形状を任意に設定することができるとともに、屋上やベランダ等においても簡易に使用することができるようにした組立式プランターに関するものである。
【０００２】
【従来の技術】
従来、家庭園芸用に使用されるプランターは、合成樹脂で以て、長方形、円形、鉢形等の各種の形状に形成されている。
【０００３】
【発明が解決しようとする課題】
ところで、上記従来のプランターは、予め定めた型を用いて成型されているため、形状を任意に設定することができず、このため、任意の形状の花壇等を形成する場合には、ブロックやレンガを用いて枠囲いを形成し、その内側に用土を充填するようにしているが、枠囲いに用いるブロックやレンガは重量があるため、取扱性が悪く、特に、屋上やベランダ等においては、簡易に使用することができないという問題があった。
【０００４】
本発明は、上記従来のプランターやブロックやレンガを用いた枠囲いの有する問題点に鑑み、形状を任意に設定することができるとともに、軽量で、取扱性が良好なため、屋上やベランダ等においても簡易に使用することができるようにした組立式プランターを提供することを目的とする。
【０００５】
【課題を解決するための手段】
上記目的を達成するため、本発明の組立式プランターは、帯状の湾曲形成可能な材料で以て形成した本体片と、該本体片の一端縁に沿って折り曲げ可能に連設した底片とからなり、前記本体片をループ形に接続するようにした組立式プランターにおいて、所要の厚さと弾性を有する発泡合成樹脂板の少なくとも一方の面に織布又はシートを接着して一体とし、本体片と底片の連接部に、織布又はシートが切断されないように切目又は折目を入れ、織布又はシートを介して底片を折り曲げ可能に連接し、隣接する底片が重なり合わないように設置するようにしたことを特徴とする。
【０００６】
この組立式プランターは、花壇等の枠囲いとなる本体片を、帯状の湾曲形成可能な材料で以て形成するとともに、これをループ形に接続するようにしているため、花壇等の本体片で以て形成する枠囲いの形状を任意に設定することができ、また、本体片で以て形成した枠囲いの内側に充填した用土の重量が、本体片の一端縁に沿って連設した底片にかかるため、組立式プランターを安定して設置することができる。
【０００７】
そして、重厚感のあるプランターを簡易に得ることができるとともに、得られたプランターは、本体片で以て形成した枠囲いの下方に底片の厚さ分の排水空間が形成されるため、枠囲いの内側に充填した用土の排水を円滑に行うことができ、保温、断熱性に優れていることと相俟って、植物の生育環境を良好に維持することができる。
【０００８】
【発明の実施の形態】
以下、本発明の組立式プランターの実施の形態を図面に基づいて説明する。
【０００９】
図１〜図３に、本発明の組立式プランターの一実施例を示す。
この組立式プランターＡは、帯状の湾曲形成可能な材料で以て形成した本体片１と、この本体片１の一端縁に沿って折り曲げ可能に連設した底片２とからなり、本体片１をループ形に接続するように構成されている。
【００１０】
そして、本実施例の組立式プランターＡは、特に限定されるものではないが、所要の厚さと弾性を有する発泡合成樹脂板ａの少なくとも一方の面（本実施例においては両面）に合成繊維等からなる織布又は合成樹脂等からなるシートｂを接着して一体とし、本体片１と底片２の連接部に、他方の面から一方の面に接着した織布又はシートｂが切断されないように切目３を入れ、切断されずに残った織布又はシートｂを介して底片２を折り曲げ可能に連接するようにしている。
【００１１】
この場合において、発泡合成樹脂板ａには、厚さ数ｍｍ〜数十ｍｍ程度のものを使用することができるが、合成樹脂の種類及びその発泡倍率等を適宜選択することにより、本体片１で以て形成する花壇等の枠囲いの形状を任意に設定することができる適度の可撓性と、本体片１で以て形成した枠囲いの内側に充填した用土の重量を支持することができる適度の剛性を兼ね備えたものを使用するようにする。
【００１２】
そして、織布又はシートｂには、本体片１と底片２が分離しないように、適度の可撓性と引張強度を兼ね備えたものを使用するようにする。
【００１３】
また、図２（Ｂ）に示すように、この織布又はシートｂの表面には、耐候性を向上するために、アルミ箔等の金属箔ｃを接着したり、金属の蒸着皮膜を形成することができる。
【００１４】
この組立式プランターＡは、花壇等の枠囲いとなる本体片１を、帯状の湾曲形成可能な材料で以て形成するとともに、これを接着や適宜のファスナー部材を用いてループ形に接続するようにすることにより、花壇等の本体片１で以て形成する枠囲いの形状を任意に設定することができ、また、本体片１で以て形成した枠囲いの内側に充填した用土の重量が、本体片１の一端縁に沿って連設した底片２にかかることとなり、組立式プランターを安定して設置することができるものとなる。
【００１５】
そして、特に、組立式プランターＡを、発泡合成樹脂板ａ及び織布又はシートｂ等を積層した材料で以て構成することにより、重厚感のあるプランターを簡易に得ることができるとともに、得られたプランターは、本体片１で以て形成した枠囲いの下方に底片２の厚さ分の排水空間４を形成することができるため、枠囲いの内側に充填した用土の排水を円滑に行うことができ、保温、断熱性に優れていることと相俟って、植物の生育環境を良好に維持することができるものとなる。
【００１６】
なお、本実施例においては、本体片１の一端縁に沿って連接された底片２の形状を一辺が本体片１に連設される三角形とするとともに、組立式プランターＡを設置したとき、隣接する底片２，２が重なり合わないようにする。
そして、花壇等の本体片１で以て形成する枠囲いの形状によって、組立式プランターＡを設置したとき、隣接する底片２，２が重なり合う場合には、底片２の一部を鋏、カッター等により切断するようにする。
【００１７】
また、底片２の形状は、本実施例の三角形に限定されず、例えば、図４に示す変形例のように、台形とすることもできる。
そして、この場合も、組立式プランターＡを設置したとき、隣接する底片２，２が重なり合わないようにし、好ましくは、本体片１で以て形成した枠囲いの下方に底片２の厚さ分の排水空間４を確実に形成するため、隣接する底片２，２間に隙間２ａを形成するようにする。
【００１８】
また、本実施例においては、組立式プランターＡを、発泡合成樹脂板ａ及び織布又はシートｂ等を積層した材料で以て構成し、本体片１に対して底片２を折り曲げ可能に連接するため、本体片１と底片２の連接部に切目３を入れるようにしたが、切目３を入れることに代えて、線状に加熱処理することにより折目を入れることもできる。
また、組立式プランターＡの組立式プランターＡの本体片１及び底片２は、発泡合成樹脂板ａ及び織布又はシートｂ等を積層した材料で以て構成するほか、合成樹脂製又は金属製の薄板で以て形成することもできる（参考例）。
この場合も、本体片１は、本体片１で以て形成する花壇等の枠囲いの形状を任意に設定することができる適度の可撓性と、本体片１で以て形成した枠囲いの内側に充填した用土の重量を支持することができる適度の剛性を兼ね備えたものを使用するようにするとともに、本体片１に対して底片２を折り曲げ可能に連接するため、本体片１と底片２の連接部には、折目を形成するようにする。
これにより、プランターを簡易に、かつ低コストで得ることができるものとなる。
【００１９】
次に、この組立式プランターの使用方法について説明する。
この組立式プランターＡは、全体を折り曲げたり、巻くことにより、ある程度嵩を低くすることができるため、製造段階において、予め接着や適宜のファスナー部材を用いてループ形に接続するほか、さらに、流通段階における嵩を低くするため、ユーザーがその使用時に接着や適宜のファスナー部材を用いてループ形に接続することもできる。
そして、ユーザーがその使用時に接着や適宜のファスナー部材を用いてループ形に接続する場合には、例えば、ループ形に接続する前に、組立式プランターＡの端部を切断してその長さを調節することにより、花壇等の本体片１で以て形成する枠囲いの形状に加え、大きさをも任意に設定することができる。
【００２０】
このようにしてループ形に接続した組立式プランターＡを、本体片１で以て形成した枠囲いの形状を好みの形状に整えながら、枠囲いの内側に向くように底片２を折り曲げ、枠囲いの内側に用土を充填するようにする。
この場合、組立式プランターＡは、地表面のほか、屋上やベランダ等の表面に直接設置したり、さらに、必要に応じて、合成樹脂製の防水シート等のシートを敷設した上に設置することができる。
【００２１】
以上、本発明の組立式プランターについて、その実施例に基づいて説明したが、本発明は上記実施例に記載した構成に限定されるものではなく、実施例に記載した構成を適宜組み合わせる等、その趣旨を逸脱しない範囲において適宜その構成を変更することができるものである。
【００２２】
【発明の効果】
本発明の組立式プランターによれば、花壇等の枠囲いとなる本体片を、帯状の湾曲形成可能な材料で以て形成するとともに、これをループ形に接続するようにしているため、花壇等の本体片で以て形成する枠囲いの形状を任意に設定することができ、また、本体片で以て形成した枠囲いの内側に充填した用土の重量が、本体片の一端縁に沿って連設した底片にかかるため、組立式プランターを安定して設置することができる。
そして、この組立式プランターは、従来のプランターやブロックやレンガを用いた枠囲いとは異なって、形状を任意に設定することができるとともに、合成樹脂等の軽量な材料で以て構成できるため、取扱性が良好であることと相俟って、屋上やベランダ等においても簡易に使用することができ、例えば、用土の取り替えや殺菌・殺虫作業時には、簡単にプランターを取り外すことができ、これらの作業を極めて簡単に行うことができる。
さらに、合成樹脂製の防水シート等のシートを敷設した上に組立式プランターを設置することにより、自由に設置位置を移動することができ、また、不要になった学童机を並べた上などにも設置できることから、従来考えられなかった空間の利用方法を提案することができる。
【００２３】
そして、組立式プランターを、所要の厚さと弾性を有する発泡合成樹脂板の少なくとも一方の面に織布又はシートを接着して一体とし、本体片と底片の連接部に、織布又はシートが切断されないように切目又は折目を入れ、織布又はシートを介して底片を折り曲げ可能に連接し、隣接する底片が重なり合わないように設置するようにして構成することにより、重厚感のあるプランターを簡易に得ることができるとともに、得られたプランターは、本体片で以て形成した枠囲いの下方に底片の厚さ分の排水空間が形成されるため、枠囲いの内側に充填した用土の排水を円滑に行うことができ、保温、断熱性に優れていることと相俟って、植物の生育環境を良好に維持することができる。
【図面の簡単な説明】
【図１】  本発明の組立式プランターの一実施例を示す外観斜視図である。
【図２】  同要部の拡大断面図である。
【図３】  同展開した平面図である。
【図４】  同異なる実施例の展開した平面図である。
【符号の説明】
Ａ  組立式プランター
ａ  発泡合成樹脂板
ｂ  織布又はシート
ｃ  金属箔
１  本体片
２  底片
３  切目
４  排水空間
【図１】
0004642190.tif 000002
【図２】
0004642190.tif 000003
【図３】
0004642190.tif 000004
【図４】
0004642190.tif 000005